(57)【要約】  複数のワイヤレス・スイッチの中の１つを電気負荷を制御するトランシーバおよび制御装置にリンクする方法はトランシーバおよび制御装置をリンキング・モードとするステップと、少なくとも１つのトランシーバおよび制御装置による、リンキング等の、制御操作を要求するスイッチの典型的な起動とは異なる起動モードを介して複数のスイッチの中の少なくとも１つを起動させるステップと、を含んでいる。さらに、制御装置および照明システムが特許請求される。
2012518251.tif 000002
【特許請求の範囲】
【請求項１】
複数のワイヤレス・スイッチを電気負荷を制御するための複数のトランシーバおよび制御装置の中の少なくとも１つにリンクする方法であって、
前記複数のトランシーバおよび制御装置の中の前記少なくとも１つをリンキング・モードとするステップと、
前記複数のスイッチの中の前記少なくとも１つによる制御操作を要求する前記スイッチの典型的な起動とは異なる起動モードを介して前記複数のスイッチの中の前記少なくとも１つを起動させるステップと、
を含む方法。
【請求項２】
請求項１記載の方法であって、前記リンキング・モードは予め定められた期間内での前記少なくとも１つのスイッチの複数の起動を含む方法。
【請求項３】
建物用照明システムであって、
リンキング・モードを有する少なくとも１つのトランシーバおよび制御装置と、
複数のスイッチであって、前記スイッチの各々が信号を発生する起動部材を有し、前記信号は前記複数のスイッチの中の特定の１つを識別する埋込コードを含む複数のスイッチと、を含み、
前記少なくとも１つのトランシーバおよび制御装置は前記信号を受信し、前記信号に応答して電気負荷を起動させ、
前記リンキング・モードは、前記制御装置に前記複数のスイッチの中の前記１つに関連する前記埋込コードを格納させるための、前記複数のスイッチの中の１つの起動シーケンスを必要とする照明システム。
【請求項４】
請求項３記載の前記システムであって、前記リンキング・モードは予め定められた期間内での前記少なくとも１つのスイッチの複数の起動を含むシステム。
【請求項５】
建物内で使用される照明制御装置であって、
ワイヤレス・スイッチからの信号を受信することができるリンキング・モードに入り、前記ワイヤレス信号内に埋め込まれたコードを複数のワイヤレス・スイッチの中の特定の１つに関連づけられるようにプログラムされたトランシーバおよび制御装置を含み、前記信号は前記少なくとも１つのトランシーバおよび制御装置にリンキング・モードの前記信号に関連する前記コードを格納するよう命令する前記スイッチの前記少なくとも１つによる予め定められた起動シーケンスを含む照明制御装置。
【発明の詳細な説明】
【背景技術】
【０００１】
（発明の背景）
本出願は電気スイッチとスイッチからの信号を受信するトランシーバおよび制御装置との間のワイヤレス通信に関連しており、リンキング信号を送るのにユニークなスイッチ起動シーケンスが利用される。
【０００２】
伝統的に、建物内で見られるような電気システムはスイッチから照明、コンセント、等のさまざまな電気負荷へと延びる電線を含んでいる。最近では、スイッチはワイヤレスリンクを介してトランシーバおよび制御装置と通信し、次にそれが照明を制御しコンセント等に電力を供給する。１つの既知のタイプのスイッチは、スイッチが起動される時に行われる機械的起動等によりそれ自体のエネルギを取り入れる。
【０００３】
このようなシステムでの１つの課題は、トランシーバおよび制御装置が起動信号を送る各スイッチを識別できなければならないことである。こうして、各スイッチにはその信号内に埋め込まれたある種のコードが典型的に設けられる。トランシーバはそのコードを受信し、信号に応答して制御すべき電気負荷を知っているかのようにどのスイッチが起動されているかを識別することができる。
【０００４】
典型的に、トランシーバおよび制御装置がリンキング・モードとされ、次にトランシーバおよび制御装置は適切なスイッチに対するコードを知ることができるようにスイッチが起動される。
【０００５】
しかしながら、任意の時点で起動されることがある多数のスイッチがある建物環境には課題がある。こうして、トランシーバおよび制御装置にリンクすべき特定のスイッチがリンキング・モードで起動されると、たとえば、別の居住者が照明機能の変更を求めるために起動させている隣室のスイッチからの信号と混同されることがある。
【発明の概要】
【課題を解決するための手段】
【０００６】
複数のワイヤレス・スイッチの中の１つをトランシーバおよび制御装置にリンクして電気負荷を制御する方法はトランシーバおよび制御装置をリンキング・モードとし、少なくとも１つのトランシーバおよび制御装置による、リンキング等の、制御操作を要求するスイッチの典型的な起動とは異なる起動モードを介して複数のスイッチの中の少なくとも１つを起動させるステップを含んでいる。さらに、制御装置および照明システムが特許請求される。
【０００７】
本発明のこれらの特徴および他の特徴は下記の明細書および図面から最も良く理解することができ、以下はその簡単な説明である。
【図面の簡単な説明】
【０００８】
【図１】電気的コンポーネントを内蔵する建物の略図である。
【図２】図１の環境に対するリンキング・シーケンスを示す図である。
【発明を実施するための形態】
【０００９】
（好ましい実施例の詳細な説明）
建物２０が図１に例示されており、それはキッチン２２およびダイニングルーム２４等の２つの部屋を有することがある。一対のトランシーバおよび制御装置２６Ａおよび２６Ｂが図示されている。各々が電球Ｌと通信するように示されている。スイッチ２８を起動させてトランシーバおよび制御装置２６Ａに信号を送り、その電球Ｌを起動させることができる。しかしながら、隣接するスイッチ３０も起動されて信号を送り、その信号は強すぎてトランシーバおよび制御装置２６Ａはトランシーバおよび制御装置２６Ｂに向けた信号でも受信してしまうことがある。さらに、２つ以上のスイッチがトランシーバおよび制御装置２６Ａに関連づけられることがよくある。
【００１０】
こうして、トランシーバおよび制御装置２６Ａは、照明Ｌ等の電気負荷の起動を要求する特定の信号を送っているのは２８および３０のどちらのスイッチかを識別できなければならない。
【００１１】
主制御装置３２はトランシーバおよび制御装置２６Ａおよび２６Ｂの各々と関連付けることができ、起動してリンキング・モードに入ることができる起動ボタン３４を有する。制御装置３２上にあるようなディスプレー画面３６が図２に示されている。オペレータがリンキング・モードに入ると、トランシーバおよび制御装置２６Ａは信号を受信する準備をし、次にそれを特定のスイッチ２８または３０と関連付けることができる。例として、ディスプレー画面３６はダイニングルーム２４およびキッチン２２に対するオプションを提供するように図示されている。こうして、リンキング・モードにおいて、オペレータは２つの部屋のオプションの一方を選出し、次にトランシーバおよび制御装置がそのスイッチに関連するコードを知ることができるように関連するスイッチを起動させる。
【００１２】
しかしながら、実際の建物環境では、部屋２４の居住者がスイッチ２８をトランシーバおよび制御装置２６Ａにリンクしようとしている時に部屋２２の居住者がスイッチ３０を起動させることは全く可能である。
【００１３】
こうして、本発明は図２に例示するようなシーケンスを開示する。制御装置３２がトランシーバおよび制御装置２６Ａに対してリンキング・モードとされると、スイッチ２８はスイッチ３０等の別のスイッチの典型的な起動とは異なる操作シーケンスによって操作される。こうして、図２に示すように、スイッチ２８は３回迅速に起動されて３つの同じ信号をトランシーバおよび制御装置２６Ａに送る。トランシーバ２６Ａは予め定められたシーケンス内で受信される信号だけにリンクするようにプログラムされる。もちろん、３回の迅速な起動以外のシーケンスも利用できる。さらに、迅速な起動は短期間内に生じる必要がある（たとえば、２秒以内）。
【００１４】
このユニークなリンキング・プロトコルにより、本発明は各スイッチをそれらの各トランシーバおよび制御装置に適切にリンクすることができる。
【００１５】
トランシーバおよび制御装置はＥｎＯｃｅａｎ社からその製品番号ＴＣＭ２２０Ｃで入手できるようなものとすることができる。ワイヤレス・スイッチは既知のものとすることができ、ＥｎＯｃｅａｎ社からその製品番号ＰＴＭ２００Ｃで入手することができる。もちろん、本発明の範囲内で、任意他のタイプのトランシーバ、制御装置またはスイッチを利用することができる。
【００１６】
本発明の実施例が開示されたが、当業者ならばある修正も本発明の範囲内に入ることを理解できる。そのため、特許請求の範囲を調べて本発明の真の範囲および内容を決定しなければならない。
【図１】
2012518251.tif 000003
【図２】
2012518251.tif 000004
【国際調査報告】
2012518251.tif 000005
2012518251.tif 000006